(57)【要約】【課題】  省エネで生活空間において負イオンの放出を効果的に行うことができる太陽光利用の負イオン発生方法と装置を提供する。【解決手段】  生活空間２における太陽光６利用の負イオン発生方法において、太陽光が照射される空間の一部に配備した光電子放出材５に、太陽光を照射して光電子を放出させ、該放出する光電子で該生活空間へ負イオンを発生させることにしたものであり、光電子の放出は、電場下で行うことができ、また、生活空間における太陽光利用の負イオン発生装置において、太陽光が照射される空間の一部にブラインドを設け、該ブラインドのしゃ光材の太陽光の照射される面に、太陽光の照射により光電子を放出して負イオンを発生させる光電子放出材を配備することとしたものであり、該ブラインドの光電子放出材を配備した面の対抗面の一部に電極材を設けてもよい。【選択図】        図３
2004330193.tif 000002
【特許請求の範囲】
【請求項１】
生活空間における太陽光利用の負イオンの発生方法において、太陽光が照射される空間の一部に配備した光電子放出材に、太陽光を照射して光電子を放出させ、該放出する光電子で該生活空間へ負イオンを発生させることを特徴とする生活空間における太陽光利用の負イオンの発生方法。
【請求項２】
前記光電子の放出は、電場下で行うことを特徴とする請求項１記載の生活空間における太陽光利用の負イオン発生方法。
【請求項３】
生活空間における太陽光利用の負イオン発生装置において、太陽光が照射される空間の一部に、太陽光の照射により光電子を放出して負イオンを発生させる
光電子放出材を配備することを特徴とする生活空間における太陽光利用の負イオン発生装置。
【請求項４】
前記空間の一部に、光電子の放出を電場下で行うための電極材を設置することを特徴とする請求項３記載の生活空間における太陽光利用の負イオン発生装置。
【請求項５】
生活空間における太陽光利用の負イオン発生装置において、太陽光が照射される空間の一部にブラインドを設け、該ブラインドのしゃ光材の太陽光の照射される面に、太陽光の照射により光電子を放出して負イオンを発生させる光電子放出材を配備することを特徴とする生活空間における太陽光利用の負イオン発生装置。
【請求項６】
前記ブラインドのしゃ光材には、光電子放出材を配備した面の対抗面の一部に電極材を設置することを特徴とする請求項５記載の生活空間における太陽光利用の負イオン発生装置。
【請求項７】
太陽光をしゃ光するためのブラインドであって、該ブラインドのしゃ光材の太陽光の照射される面に、太陽光の照射により光電子を放出して負イオンを発生させる光電子放出材を配備し、該光電子放出材を配備した面の対抗面の一部に電極材を設けたことを特徴とする太陽光利用の負イオン発生用ブラインド。
【発明の詳細な説明】
【技術分野】
【０００１】
本発明は、太陽光を用いる省エネ型生活空間に係り、特に、個人住宅、病院、事務所等における快適空間を創出するための太陽光利用の負イオン発生方法と装置に関する。
【背景技術】
【０００２】
従来の快適生活空間を得る技術として、除塵（粒子状物質の除去）と脱臭により空気の清浄化を行う家庭用空気清浄器を例に説明する。
該清浄器は、強電界下でコロナ放電によって微粒子を正に荷電し、負に帯電したフィルタを用いて、該荷電微粒子を捕集し、また、活性炭を用いた脱臭フィルタによって脱臭する装置で構成されていた。
該清浄器は、通常前記構成の装置を人の居住空間の床面上に設置し、周辺空気を強制的に清浄器内蔵の電力で動くファンの作動により、清浄器内に通気することにより空気清浄を行っていた。
【０００３】
この様な構成や作動では次のような問題点があった。
即ち、コロナ放電によってオゾンが生成するが、このオゾンは極微量でも人体に有害である。放電による荷電では、粒子の粒径が細かくなると、荷電効率が低くなる。例えば、ウィルスが付着した０．１μｍ以下の粒子やタバコ煙中の０．１μｍ以下の粒子状物質の捕集性能は著しく低く、捕集・除去はほとんど困難であった。
放電では、微粒子が発生してしまうので、後方のフィルタの負担が大きくなり、捕集容量の大きい捕集材が必要になる。脱臭フィルタは、上述の発生オゾンにより劣化が早いので（オゾンと脱臭フィルタが反応する）、性能劣化が早い等の欠点が多くあった。
また、該清浄器を床面上に設置し、電力で作動させるので、人の活動空間が制限され（減少し）、多くの電力の供給が必要であった。
【０００４】
ところで、清浄空気の指標は、上記のような微粒子や臭気の他に、正負イオンがある。
負イオンが多いと「爽快感」が得られることが知られているが、人の活動している空間では、正イオンが発生し、負イオンは少ない（正イオンが発生すると、負イオンを消費してしまう）。例えば、ファンやモータの回転では、正イオンが発生し、負イオンを消費してしまうので、このようなファンを用いる空間では負イオンが少ない（第１２回エアロゾル科学・技術研究討論会、ｐ１２０〜１２２，１９９５）。
即ち、上記微粒子を正に荷電させて捕集する方式では、コロナ放電や動力源のファンの作動により正イオンが増加（負イオンが減少）した。このため、実用的により効果的な方式の出現が期待されていた。
これらに対し、本発明者らは、光電子放出材に紫外線照射することにより、発生する光電子を用いて微粒子を荷電・捕集する方式を提案した。
この方式は、特に半導体、液晶、精密機械工業など、先端産業における作業空間の超清浄化に効果的であったが、適用先によってはその目的に合致させて使用できるように改善する余地があった。
【特許文献１】特開昭６３−７８４７１号公報
【特許文献２】特開平３−２５８３５７号公報
【非特許文献１】第１２回エアロゾル科学・技術研究討論会、ｐ１２０〜１２２（１９９５）
【発明の開示】
【発明が解決しようとする課題】
【０００５】
本発明は、上記従来技術に鑑み、正イオンを発生させることなく、省エネで生活空間において除塵と負イオンの放出を効果的に行うことができる太陽光利用の負イオン発生方法と装置を提供することを課題とする。
【課題を解決するための手段】
【０００６】
上記課題を解決するために、本発明では、生活空間における太陽光利用の負イオンの発生方法において、太陽光が照射される空間の一部に配備した光電子放出材に、太陽光を照射して光電子を放出させ、該放出する光電子で該生活空間へ負イオンを発生させることを特徴とする生活空間における太陽光利用の負イオンの発生方法、又は生活空間における太陽光利用の負イオン発生装置において、太陽光が照射される空間の一部に、太陽光の照射により光電子を放出して負イオンを発生させる光電子放出材を配備することを特徴とする生活空間における太陽光利用の負イオン発生装置としたものである。
本発明において、前記光電子の放出は、電場下で行うのがよく、そのための電極材を設置することができる。
また、本発明では、生活空間における太陽光利用の負イオン発生装置において、太陽光が照射される空間の一部にブラインドを設け、該ブラインドのしゃ光材の太陽光の照射される面に、太陽光の照射により光電子を放出して負イオンを発生させる光電子放出材を配備することを特徴とする生活空間における太陽光利用の負イオン発生装置としたものである。
前記装置において、ブラインドのしゃ光材には、光電子放出材を配備した面の対抗面の一部に電極材を設置することことができる。
さらに、本発明では、太陽光をしゃ光するためのブラインドであって、該ブラインドのしゃ光材の太陽光の照射される面に、太陽光の照射により光電子を放出して負イオンを発生させる光電子放出材を配備し、該光電子放出材を配備した面の対抗面の一部に電極材を設けたことを特徴とする太陽光利用の負イオン発生用ブラインドとしたものである。
【発明の効果】
【０００７】
本発明によれば、次のような効果を奏することができた。
１）生活空間において、太陽の方向に光電子放出材と、電場形成のための電極材とを設置したことによって、
（ａ）太陽光によって、粒子状物質が捕集・除去された負イオンリッチな快適空気が得られた。
即ち、太陽光の利用で実施できるので、省エネで粒子状物質が捕集・除去された負イオンリッチな快適空気が得られた。
（ｂ）太陽光の利用で快適空気が容易に得られるので、人の活動空間（スペース）が広くなった。また、動力費は電界形成のみでよいから、従来の空気清浄器に比べて、大幅に低減された。また、オゾンレスであり、微粒子など副生成物は発生しないことから、実用上効果的な快適生活空間創出技術となった。
【０００８】
２）上記の快適空気の創出において、予め空気中の粒子状物質の濃度を１０００万個／ｆｔ３以下にすることによって、
（ａ）該空気から光電子放出材への太陽光の照射によって発生させた光電子による負イオンの生成を効果的に行うことができた。
（ｂ）、（ａ）による負イオンを人のいる生活空間へ放出すると、人は爽快感を得られた。
（ｃ）、（ｄ）による負イオンを含む空気を、食品や植物に暴露すると、食品や植物の鮮度が長時間維持できた。
３）上記の快適空気は除菌されているので、
（ａ）人への爽快感、食品や植物の鮮度への効能が一層増加した。
（ｂ）健康に好適な空気となった。
【発明を実施するための最良の形態】
【０００９】
以下、本発明を詳細に説明する。
本発明は、生活空間の太陽光が照射する場所に、太陽光の照射により光電子を放出する光電子放出材と電場設定のための電極材とを設置し、それによって、（１）微粒子や浮遊菌類（微生物類）などの粒子状物質の捕集部と、（２）生活空間への負イオンの放出部とを有するものである。
即ち、通常外気や室内の粒子状物質の濃度は、０．１μｍ以上の粒子状物質濃度で、１億〜１０億／ｆｔ３程度存在する。本発明では、これを１０００万個／ｆｔ３以下、あるいは１００万個／ｆｔ３、特に好ましくは１０万個／ｆｔ３以下にすると、空気が新鮮となり、負イオンの発生が効果的となることを見い出して本発明に到ったものである。
【００１０】
前記（１）の粒子状物質の捕集・除去部においては、光電子放出材への太陽光の照射により、光電子を発生させ、該光電子により粒子状物質を荷電させ、荷電された粒子状物質を捕集・除去するものである。また、前記（２）の負イオンの放出部においては、光電子放出材への太陽光の照射により光電子を発生させ、該光電子により空間中へ負イオンを放出するものである。次に、それぞれの構成について説明する。
光電子放出材と電場（電極材）については、粒子状物質の捕集・除去部と、負イオンの発生部の両方に適用でき、荷電微粒子捕集材は粒子状物質の捕集・除去に適用できる。
光電子放出材は、太陽光の照射により、光電子を放出するものである。したがって、該放出材は、太陽光の照射により光電子を放出するものであれば、何れでも良く、光電的な仕事関数が小さなもの程好ましく、更には加工性の良いものが実用的に有効であることから好ましい。
【００１１】
光電子放出材は、適宜の形状の母材に光電子放出性物質を付加して用いることができる。即ち、光電子放出材は、板状、プリーツ状、曲面状、凹凸状、ハニカム状、網状、線状、繊維状、スクリーン状の形状の適宜の母材に、後記する光電子放出性物質を付加したものである。これらは適用先、装置形状、要求性能などにより適宜予備試験や検討を行い決めることができる。
通常、ガラス材への光電子放出性物質の付加や、網状の適宜の材料（母材）への光電子放出性物質の付加が簡易な形状で効果的であることから好ましい。
また、光電子放出材の少なくとも一種類は、生活空間と外部の間（壁材）に設置し、これに太陽光を照射して用いると、効果やコストの面で実用上有利となることから好ましい。この方法として、光透過性物質の母材に、後記する光電子放出性物質を付加して用いるタイプがある。
【００１２】
付加の方法は、太陽光の照射により光電子が放出されれば、何れでも良い。例えば、ガラス母材上へコーティングして使用する方法、他の例として母材表面近傍へ埋込んで使用する方法や母材上に付加し更にその上に別の材料をコーティングして使用する方法、光透過性物質と光電子放出性物質を混合して用いる方法等がある。
付加の方法の例として、イオンプレーティング法、スパッタリング法、蒸着法、ＣＶＤ法、メッキによる方法、塗布による方法、スタンプ印刷による方法、スクリーン印刷による方法があり、適宜に用いることができる。
また、付加は、薄膜状に付加する方法、網状、線状、帯状に付加する方法等適宜用いることが出来る。
【００１３】
光電子放出性物質は、効果や経済性の面から、Ｂａ，Ｓｒ，Ｃａ，Ｙ，Ｇｄ，Ｌａ，Ｃｅ，Ｎｄ，Ｔｈ，Ｐｒ，Ｂｅ，Ｚｒ，Ｆｅ，Ｎｉ，Ｚｎ，Ｃｕ，Ａｇ，Ｐｔ，Ｃｄ，Ｐｂ，Ａｌ，Ｃ，Ｍｇ，Ａｕ，Ｉｎ，Ｂｉ，Ｎｂ，Ｓｉ，Ｔａ，Ｔｉ，Ｓｎ，Ｐのいずれか又はこれらの化合物又は合金又は混合物が好ましく、これらは単独で又は二種以上を複合して用いられる。複合材としては、アマルガムの如く物理的な複合材も用いうる。
例えば、化合物としては酸化物、ほう化物、炭化物があり、酸化物にはＢａＯ，ＳｒＯ，ＣａＯ，Ｙ２Ｏ５，Ｃｄ２Ｏ３，Ｎｄ２Ｏ３，ＴｈＯ２，ＺｒＯ２，Ｆｅ２Ｏ３，ＺｎＯ，ＣｕＯ，Ａｇ２Ｏ，ＰｔＯ，ＰｂＯ，Ａｌ２Ｏ３，ＭｇＯ，Ｉｎ２Ｏ３，ＢｉＯ，ＮｂＯ，ＢｅＯなどがあり、またほう化物にはＹＢ５，ＧｄＢ６，ＬａＢ６，ＣｅＢ６，ＰｒＢ６，ＺｒＢ２などがあり、さらに炭化物としてはＺｒＣ，ＴａＣ，ＴｉＣ，ＮｂＣなどがある。
【００１４】
母材として用いる光透過性物質は、室内から室外への空気の流通を遮断し、太陽光の透過性に優れ、その表面又は表面近傍に光電子放出性物質が付加出来るものであれば、何れも使用出来る。特に、太陽光の内波長の短い光（例、＜４００ｎｍ）の透過性が良いものが効果的であるので好ましい。通常、ガラス材やアクリル樹脂のような高分子材が好適に使用できる。
上記光透過性物質以外の母材としては、Ｃｕ−Ｚｎ、ＳＵＳなどを上記網状など適宜の形状で使用でき、その表面に前記の光電子放出性物質が被覆（付加）できるものであればいずれでも良い。
光電子放出性物質の種類や光透過性材料などの母材の種類、付加方法の選択は、適用分野、経済性、太陽光の照射方法等により検討し、あるいは予備試験を行い適宜行うことが出来る。
【００１５】
網状、線状、繊維状、スクリーン状、ハニカム状の光電子放出材（通気性の光電子放出材）は、該光電子放出材を通り抜けるように空気を流すと、弱い電場において効果的に光電子が放出されるので、適用先装置の形状・構造、要求・性能によっては好ましい。弱い電場で光電子放出効果を有する理由は、該気流が光電子放出を助けるためと考えられる。
光電子放出材の種類やその形状は、太陽光の照射方法、目的（微粒子の荷電・捕集か、負イオンの放出か、利用の装置の形状、電場のかけ方、構造あるいは希望する効率等により適宜決めることができる。
光電子放出材は、電場下で太陽光照射することにより光電子の放出が効果的となる。電場における光電子放出については、本発明者等がすでに提案している（例、特公平３−５８５９号、特開平２−３０３５５７号公報）。
電場は、光電子放出材（負極）と電極（正極）間に電圧を印加することで形成できる。
【００１６】
本発明における電場電圧は０．１Ｖ／ｃｍ〜２ｋＶ／ｃｍである。すなわち、本発明では光電子放出材として、通気性の光電子放出材を用いることができ、この場合は、電場電圧は微弱でよく、１００Ｖ／ｃｍ以下、通常２０Ｖ／ｃｍ以下で効果的である。好適な電場の強さは、適用先条件、装置形状、規模、効果、経済性等で適宜予備試験や検討を行い決めることが出来る。
例えば、負イオンの放出を外部方向（光電子放出材と電極で挟まれた空間に対し、該空間の外側）へ行う場合は、通気性の光電子放出材を用いると、電場の強さは２０Ｖ／ｃｍ以下で高い効果を得ることから好ましい。
電場形成用の電極材は、周知の電極材を適宜に用いることができる。例えば、ＳＵＳ材、Ｃｕ−Ｚｎ材がある。
電場用電極材は、後記する荷電微粒子捕集材（集じん材）と兼ねてあるいは一体化し、用いることができる。
【００１７】
荷電微粒子の捕集材（集じん材）は、荷電微粒子が捕集できるものであればいずれでも使用できる。通常の荷電装置における集じん板、集じん電極各種電極材や静電フィルタ方式が一般的であるが、スチールウール電極、タングステンウール電極のような捕集部自体が電極を構成するウール状構造のものも有効である。エレクトレック材も好適に使用できる。
また、本発明者がすでに提案したイオン交換フィルタ（又は繊維）を用いて捕集する方法も有効である（特公平５−９１２３号、特開昭６３−７７５５７号、同６３−８４６５６号各公報）。
イオン交換繊維は微粒子除去に加えて、住居において通常発生がみられるアンモニアやアミンのようなアルカリ性ガス、アルデヒドのような活性ガス、プロピオン酸、吉草酸、酪酸のような極低濃度（ｐｐｂ以下）でも悪臭を放す体臭の捕集・除去に効果があるので適用先によっては好ましい。
【００１８】
捕集は、これらの捕集方法を単独で、又はこれらの方法を２種類以上組合せて適宜用いることが出来る。
前記の粒子状物質の濃度を１０００万個／ｆｔ３にすると、負イオンの生成が効果的になる理由の詳細は不明であるが、１つの理由として共存する粒子状物質の濃度が多いと光電子が該粒子状物質に消費されるためと考えられる。
負イオン発生部は、空気中の粒子状物質の濃度が１０００万個／ｆｔ３以下となった空気を、負イオン濃度を３０００個／ｍｌ〜１０万個／ｍｌにするところである。ここで、負イオンの生成は、光電子が電子親和性の大きい水分子や酸素分子との電子付着やクラスタリングにより、Ｏ２−（Ｈ２Ｏ）ｎ 、Ｏ−（Ｈ２Ｏ）ｎ、ＯＨ−（Ｈ２Ｏ）ｎなどの負イオンクラスターを作るためと考えられる。
【００１９】
これらの反応を次に示す。
Ｏ２＋ｅ    →    Ｏ２-
Ｏ２-＋  Ｈ２Ｏ    →    Ｏ２-（Ｈ２Ｏ）
・
・
・
Ｏ２-（Ｈ２Ｏ）ｎ−1＋  Ｈ２Ｏ    →    Ｏ２-（Ｈ２Ｏ）ｎ
一般に、爽快感が得られる自然の滝や渓流では、数千個〜数万個／ｍｌの負イオンが存在するが、それに比較して人の活動している事務所での負イオン濃度は数百個／ｍｌ程度存在するのみである（唐木、鈴木、田中、空気調和・衛生工学会学術講演会論文集，Ｂ−４４，ｐ１０６５〜１０６８，１９９５年１０月）。
従って、本発明では、人の生活空間における負イオン濃度を光電子により、３０００〜１０万個／ｍｌまで高め、自然環境に近づけるものである。
【００２０】
次に、本発明を図面を用いて詳細に説明する。
図１は、本発明の生活空間を備えた住居の概略構成図である。
図１において、人１が生活する生活空間Ａである住居２に、粒子状物質（塵埃、花粉、各種菌、微生物含有粒子など）３を捕集・除去する粒子状物質の捕集・除去部Ｂと、生活空間への負イオンの放出を行う負イオン発生部Ｃを備えている。
住居２内では、人１の生活活動による塵埃（例、タバコの煙、ゴミ、ホコリ）類３の発生、また外気からの花粉や各種菌・微生物含有粒子３の侵入などで汚染されている。特に、最近の住居は密閉性（気密性）が高いので、生活空間Ａで発生した塵埃類３は、人１の近傍に存在するので、健康に悪影響を及ぼす。
【００２１】
これらの粒子状物質３は、本発明の粒子状物質の捕集・除去部Ｂにて捕集・除去される。
即ち、粒子状物質３は、ガラス板（窓ガラス）４に光電子放出性物質５を被覆した本発明の光電子放出材への太陽６からの光７の照射により放出される光電子８により荷電され、荷電粒子状物質９となる。次いで、該荷電粒子状物質９は、後方の荷電粒子状捕集材１０にて、捕集・除去され、粒子状物質３の捕集・除去部Ｂの出口は、清浄空気１１となる。
次に、粒子状物質３が照射された清浄空気１１は、本発明の負イオン発生部Ｃにて負イオンリッチな空気１２に変換され、負イオンリッチな清浄空気１２が生活空間Ａへ供給される。
【００２２】
即ち、清浄空気１１は、ガラス材４に、光電子放出性物質５を被覆した本発明の光電子放出材への太陽６からの光７の照射により放出される光電子８により負イオンリッチな快適空気１２となる。
１３は、光電子放出材からの光電子８の放出を効率良く行うための電場形成のための電極材である。
このようにして、人１の生活する生活空間Ａには快適空気１２が供給される。この空気は負イオンリッチであるため、生活空間Ａでは森林浴の中で得られるようなリラックスなそう快感が得られる。負イオンリッチな空気１２によりそう快感が得られる反応メカニズムは、十分に解明されていないが次のように考えられる。即ち、負イオンリッチな空気は、人の自律神経の調整作用を高めるため、細胞を賦活させ、新陳代謝を活性にするためと考えられる。
【００２３】
また、該快適空空気１２は、空中浮遊菌・微生物類も同時に除去されているので、殺菌空気と同様に安全な（人への菌や微生物、ビールスなどからの汚染を防止した）空気（除菌空気）となっている。
図１中矢印は、太陽光の光電子放出材への照射や、人の生活により発生する熱による住居２内での空気の流れであり、該流れにより住居２内の粒子状物質３は効果的に粒子状物質の捕集・除去部Ｂへ運ばれ、捕集・除去され、また快適空気１２が効果的に人の生活空間Ａへ運ばれる。
【００２４】
図２に、本発明の別の生活空間を備えた住居の概略構成図を示す。
図２は、図１において、負イオン発生部Ｃにおける光電子放出材が網状のＣｕ−Ｚｎに光電子放出性物質５を被覆した本発明の光電子放出材を用いたものである。１４は、網状Ｃｕ−Ｚｎに光電子放出性物質５を被覆した光電子放出材に太陽６からの光７を照射するための窓ガラスである。
図２において、図１と同じ記号は同じ意味を示す。
【００２５】
図３に本発明のもう一つの生活空間を備えた住居の一部の概略構成図を示す。
図３では、太陽６からの光７が、透過する窓ガラス４の近傍に設置されたブランドＤに、粒子状物質３の捕集・除去部Ｂ、及び負イオン発生部Ｃを一体化して組み込み、生活空間Ａに除塵（粒子状物質３の除去）された負イオンリッチな快適空気１２を供給するものである。
即ち、ブラインドのしゃ光材１４に、光電子放出性物質５が被覆されており、太陽６からの光７の照射により放出される光電子８により、粒子状物質３は荷電され、荷電粒子状物質となり、該荷電粒子状物質は、荷電粒子状物質の捕集材（電極）１０にて捕集される。ここで、該捕集材（電極）１０は、光電子放出性物質５からの光電子放出を電場下で行うための電場形成用電極材も兼ねている。
【００２６】
放出された光電子８は、前方では、主に除塵のために作用し、後方では、主に粒子状物質３が除去され、清浄空気となっているので、負イオン空気１２のために作用する。
このようにして、粒子状物質３は除去され、負イオンリッチな快適空気１２となり、生活空間Ａに供給されるので生活空間Ａではリラックスなそう快感が得られる。
１５は、住居２（図１，２）内における１部の生活空間（部屋）を示す。
図３中矢印は、空気の流れの方向を、また図３で、図１，２と同じ記号は、同様の意味を示す。
【実施例】
【００２７】
以下、本発明を実施例により具体的に説明する。
実施例１
図１に示した住居のモデルを作り、光電子による粒子状物質の捕集・除去部Ｂのより住居空間における浮遊粒子状物質の除去を行い、負イオン発生部Ｃ入口の粒子状物質の濃度に対する発生負イオン濃度について調べた。
また、負イオンの効能として、いちご（果実）に５℃で負イオンリッチな空気を暴露し、鮮度維持について調べた。また、負イオンリッチな除菌空気の効能として、該空気を寒天培地に吹きつけ、菌を培養し、調べた。
【００２８】
（１）住居の大きさ；  ４０ｍ３
（２）粒子状物質の捕集・除去部（Ｂ）の条件；
（ａ）装置大きさ：  約３００リットル、
（ｂ）光電子放出材：ガラスにＺｒＣを５ｎｍ被覆、
（ｃ）電場：板状  Ｃｕ−Ｚｎ、強さ  ５〜５０Ｖ／ｃｍ、
（ｄ）荷電粒子状物質捕集材：板状  Ｃｕ−Ｚｎ、５００Ｖ／ｃｍ、
（３）負イオン発生部（Ｃ）の条件；
（ａ）装置大きさ：  約２００リットル、
（ｂ）光電子放出材：ガラスにＺｒＣを５ｎｍ被覆、
（ｃ）電場：電極材  Ｃｕ−Ｚｎ、強さ  ５０Ｖ／ｃｍ、
（４）粒子状物質（空気中浮遊物質）の濃度測定器：パーティクルカウンター
（光散乱式，＞０．１μｍ）（５）負イオン濃度測定器：イオンテスタ
【００２９】
結  果
（１）粒子状物質の捕集・除去部（Ｂ）における電場用電圧を変えて、該部Ｂにおける粒子状物質の除去性能を変化させ、負イオン発生部（Ｃ）への入口粒子状物質濃度（個／ｆｔ３）に対する負イオン発生濃度（個／ｍｌ）を調べた。
図４に、負イオン発生部（Ｃ）への入口粒子状物質濃度（個／ｆｔ３）に対する発生負イオン濃度の関係を示す。測定値はバラツキが大きいので範囲を示す。
また、図５に住居における粒子状物質（−●−印）と負イオンの濃度（−○−）の変化を示す。
（２）負イオンの効能を調べるために、本発明で得られた３，０００、１万、５万個／ｍｌの負イオン（いずれも平均値）にいちごを暴露し、鮮度保持について調べた。
表１に、鮮度の指標として、カビの発生が認められた日数を示す。
【００３０】
【表１】
2004330193.tif 000003
（３）負イオンリッチな除菌空気の効能として、本発明で得られた負イオン空気（１万個／ｍｌ）を寒天培地に吹きつけることにより菌類の培養を行い、同様に光電子の発生が無い場合を行い、比較した。結果は、吹き付けた寒天培地上にはコロニーは発生しなかったが、光電子の発生が無い場合（太陽光の照射及び、電場の形成が無い場合）にはコロニーが２０〜３０個／１０ｃｍ２発生した。
また、生活空間Ａにおいて、オゾン（Ｏ３）濃度を測定したところ、本発明の装置によるＯ３ 発生（Ｏ３濃度の増加）は認められなかった。
【図面の簡単な説明】
【００３１】
【図１】本発明の生活空間を備えた住居の概略構成図。
【図２】本発明の別の生活空間を備えた住居の概略構成図。
【図３】本発明の他の生活空間を備えた住居の一部の概略構成図。
【図４】粒子状物質の濃度と負イオン濃度の関係を示すグラフ。
【図５】時刻による粒子状物質濃度と負イオン濃度の変化を示すグラフ。
【符号の説明】
【００３２】
１：人、２：住居、３：粒子状物質、４：ガラス板、５：光電子放出性物質、６：太陽、７：光線、８：光電子、９：荷電粒子状物質、１０：荷電粒子状物質捕集材、１１：清浄空気、１２：負イオンリッチな空気、１３：電極材、１４：網状の光電子放出材、１５：住居の一部（部屋）、Ａ：生活空間、Ｂ：粒子状物質の捕集・除去部、Ｃ：負イオン発生部、Ｄ：ブランド
【図１】
2004330193.tif 000004
【図２】
2004330193.tif 000005
【図３】
2004330193.tif 000006
【図４】
2004330193.tif 000007
【図５】
2004330193.tif 000008